(57)【要約】【課題】            従来のアタッチ部材は自由性がなく、そのため、複数種の製品を製造して取り揃える必要性があり、また、巻き付け等にはそぐわないもので、ファイバーにゴム素材を用いると硬質なポリプロピレンで作成される止着要素との強固な結合ができず、しかも非常に劣化し易いものであったという点である。【解決手段】        アタッチ部材は少なくとも一端に硬質な止着要素を備えた長尺部材を有し、その長尺部材をエラストマーによって成形してあることとし、アタッチ部材の製造方法は押し出し成形したエラストマー製の長尺部材を硬質な止着要素にインサートすることとし、予めエラストマーによって長尺部材を射出成形し、適宜寸法にカットされた長尺部材の端部に硬質の止着要素をアウトサートすることとする。【選択図】          図１
2008285219.tif 000002
【特許請求の範囲】
【請求項１】
少なくとも一端に硬質な止着要素を備えた長尺部材を有し、その長尺部材をエラストマーによって成形してあることを特徴とするアタッチ部材
【請求項２】
前記した長尺部材は断面を略円形とした線状のものとし、前記止着要素は長尺部材の一端には係止部を備えた受部とし、他端にはその受部に嵌装され、前記係止部に係合する係合部を備えた挿し込み部としたことを特徴とする請求項１に記載のアタッチ部材。
【請求項３】
前記した長尺部材の両端に備えられた止着要素は、さらにランナー部材と結合させ、アッセンブリとしたことを特徴とする請求項２に記載のアタッチ部材。
【請求項４】
前記した受部の一部にフック部を一体的に設けてあることを特徴とする請求項２に記載のアタッチ部材。
【請求項５】
前記した長尺部材は帯状のものとし、止着要素はクリップ部としてあることを特徴とする請求項１に記載のアタッチ部材。
【請求項６】
前記した長尺部材は帯状のものとし、止着要素は一端に係止部を備えた受部とし、他端部は帯状とした長尺部材の一方表面に、一定間隔をおいて形成され前記係止部に係合する係合部を有する結束用のものとしたことを特徴とする請求項１に記載のアタッチ部材。
【請求項７】
押し出し成形したエラストマー製の長尺部材を硬質な止着要素にインサートすることを特徴とするアタッチ部材の製造方法。
【請求項８】
予めエラストマーによって長尺部材を射出成形し、適宜寸法にカットされた長尺部材の端部に硬質の止着要素をアウトサートすることを特徴とするアタッチ部材の製造方法。
【発明の詳細な説明】
【技術分野】
【０００１】
本発明はアタッチ部材、特に商品にタグを吊持したり、締着したり、または結束をしたりする場合に使用するアタッチ部材及びその製造方法に関する。
【背景技術】
【０００２】
従来より、上記したアタッチ部材の存在は知られている。この従来のアタッチ部材は商品に取り付けた際等に、簡単に切断されてしまうことがないように、プラスチックを延伸加工して強度を高めたファイバー材を用い、その両端に主としてポリプロピレンによって成形され、結合してループを形成する受部とその受部に嵌装される挿し込み部とが各々一体的に具備された構成となっている。
【０００３】
しかしながら、この従来のアタッチ部材はファイバーに伸縮性がないため、使用目的に応じて、複数のサイズをした製品を作成して取り揃える必要があり、タグ等の吊持、締着、あるいは結束のほかは巻き付け等の使用目的にはそぐわないものとなっていた。
【０００４】
そこで、ファイバーとして伸縮性を保有したゴム素材を使用することが想定できるが、一般的なゴム素材は経時変化や屋外の気候条件等が起因して非常に劣化し易く、長期に亘っての使用に耐えられず、また、ゴム素材と結合されるべき止着要素とされるポリプロピレンはその特性として衝撃や加力に耐え得る強力な結合は行なえないという条件もあった。
【特許文献１】特開平７−２７９０１８号公報
【発明の開示】
【発明が解決しようとする課題】
【０００５】
本発明が解決しようとする問題点は従来のアタッチ部材は自由性がなく、そのため、複数種の製品を製造して取り揃える必要性があり、また、巻き付け等にはそぐわないもので、ファイバーにゴム素材を用いると硬質なポリプロピレンで作成される止着要素との強固な結合ができず、しかも非常に劣化し易いものであったという点である。
【課題を解決するための手段】
【０００６】
上記した問題点を解決するために、本発明に係るアタッチ部材は少なくとも一端に硬質な止着要素を備えた長尺部材を有し、その長尺部材をエラストマーによって成形してあることを特徴とし、前記した長尺部材は断面を略円形とした線状のものとし、前記止着要素は長尺部材の一端には係止部を備えた受部とし、他端にはその受部に嵌装され、前記係止部に係合する係合部を備えた挿し込み部としたことを特徴とし、前記した長尺部材の両端に備えられた止着要素は、さらにランナー部材と結合させ、アッセンブリとしたことを特徴としている。
【０００７】
また、本発明に係るアタッチ部材は前記した受部の一部にフック部を一体的に設けてあることを特徴とし、前記した長尺部材は帯状のものとし、止着要素はクリップ部としてあることを特徴とし、前記した長尺部材は帯状のものとし、止着要素は一端に係止部を備えた受部とし、他端部は帯状とした長尺部材の一方表面に、一定間隔をおいて形成され前記係止部に係合する係合部を有する結束用のものとしたことを特徴としている。
【０００８】
さらに、本発明に係るアタッチ部材の製造方法は押し出し成形したエラストマー製の長尺部材を硬質な止着要素にインサートすることを特徴とし、予めエラストマーによって長尺部材を射出成形し、適宜寸法にカットされた長尺部材の端部に硬質の止着要素をアウトサートすることを特徴としている。
【発明の効果】
【０００９】
本発明に係るアタッチ部材は上記のように構成されている。長尺部材としてエラストマーを使用してあるため、全体として伸縮性を保有しており、そのため、多くの長さサイズのものを製造して取り揃える必要性がなくなり、結束や巻き付け等を行なう場合に長尺部材を伸長して対応することができ、物を吊持したりする場合にも、ループが伸びるため、展示に関し、種々の細工を施すことも可能となり、あるいは複数の物品間の結合も、エラストマーの伸長性を利用して可能なものとなっている。加えて、エラストマーは硬度を用途に合わせて自在に選択することができ、着色や金属物の混入等も可能なため、雅趣に富んだ製品とすることができる。
【００１０】
また、本発明に係るアタッチ部材の製造方法は上記のように構成されている。ここには二種類の方法を示しており、従来、ゴム素材とポリプロピレンは素材的に接合が困難であるが、係る方法によると押し出し成形ではエラストマーによる長尺部材を止着要素に挿通してしまい、２色成形ではエラストマーの端部に止着要素が相互に融けて融着し、一体化されることとなる。
【発明を実施するための最良の形態】
【００１１】
図面として示し、実施例で説明したように構成したことで実現した。
【実施例１】
【００１２】
次に、本発明の好ましい実施の例を図面を参照して説明する。図１は本発明に係るアタッチ部材の第一実施例を示す図、図２は同じく第二実施例を示す図、図３は同じく第三実施例を示す図、図４は同じく第四実施例を示す図、図５は同じく第五実施例を示す図、図６は同じく第六実施例を示す図、図７は同じく第七実施例を示す図、図８は同じく第一の製造方法を示す図、図９は同じくその変形例を示す図、図１０は同じく第二の製造方法を示す図である。
【００１３】
これらの図にあって１は断面を略円形としたエラストマーによって成形された線状の長尺部材である。ここで、この長尺部材１の径は略１．２ｍｍ程度で長さは５〜６ｃｍを想定している。図１にあって、この長尺部材１の一端には受穴２ａを形成し、その受穴２ａに一対の対向するバネ性を有する係止部２ｂ、２ｂを一体に備えた受部２が一体的に設けられている。また、長尺部材１の他端には前記した受部２の受穴２ａに頭部３ａが挿し込まれ、その頭部３ａの基端に形成された段状の係合部３ｂを前記係止部２ｂ、２ｂと係合させてロック状態とし、長尺部材１をループ状とする挿し込み部３が一体的に設けられている。この第一実施例におけるアタッチ部材は衣服等の商品に価格や品質等を表示したタグを吊持することを主たる使用用途としている。尚、図１中Ｄは挿し込み部３が受部２に挿し込まれ、ロックされた結合状態を示している。
【００１４】
また、図２として示す第二実施例にあっては、受部２をその受穴２ａの方向性を長尺部材１の長手方向に対し、直交する方向としている。そして、係止部２ｂはその受穴２ａ内にあってリング状のフランジとして形成している。一方、挿し込み部３はその先端寄りの頭部３ａ側を半割したものとなっており、係合部３ｂはその半割されて存在する一方側に形成されたものとなっている。さらに、図中４は長尺部材１が挿し込み部３の頭部３ａ側に連続された状態（後述する押し出し成形）にあって形成されるストッパであり、このストッパ４は受部２の長尺部材１側に形成された受止膨出部２ｃの内部に嵌め付けられて抜け止めが図られる。
【００１５】
さらに、図３として示す第三実施例にあっては受部２をその受穴２ａおよび挿し込み部３の向きも長尺部材１の長手方向と直交方向としている。この場合は複数のアタッチ部材を一定間隔を隔てて平行に設定し、受部２及び挿し込み部３を各々切断可能なポリプロピレン製の接続部５ａを介し、ポリプロピレン製のランナー部材５、５に接続したアッセンブリとしてある。各ランナー部材５、５は平行とされ、このランナー部材５、５を専用の取り付け装置にセットすることで目的位置へアタッチ部材を連続的に装着していくことができる。
【００１６】
また、図４として示す第四実施例にあってはやはり、ランナー部材５、５によって全体をアッセンブリとしている。この場合は、挿し込み部３の中程から長尺部材１がその挿し込み部３の頭部３ａまで屈曲して挿通されたものとなっており、前記したようにストッパ４が受部２の内部に入れられ、抜け止めが図られた構成となっている。
【００１７】
そして、図５として示す第五実施例は長尺部材１の一端に設けられた受部２に続けてフック部６を一体に設けたものとしている。そして、この場合、受部２はその受穴２ａに沿った一方側寄りに長尺部材１が連接されたものとなっており、挿し込み部３における係合部３ｂは傘状に形成されたものとされている。
【００１８】
また、図６として示す第六実施例は、長尺部材１ａは両端を幅狭とした帯状に形成してある。この第六実施例のアタッチ部材は手提げ袋の開口縁に取り付けられ、手提げ（タック）として使用されるものであり、前記した長尺部材１ａの両端には袋の開口縁を挟持して取り付けられるクリップ部７、７が一体に設けられている。このクリップ部７、７はＶ字状に形成され、一方の内面に係合突起７ａ、７ａが突設され、他方には袋の開口縁を７ａ、７ａが貫通して嵌め付けられる受部７ｂ、７ｂが設けられている。また、８は取り付けられる袋の開口縁の内部に位置される補強部である。尚、この長尺部材１ａは長手方向に沿って二条のリブ１ｂ、１ｂが両面に形成され、握持感の良好性と強度の補強を図っている。
【００１９】
さらに、図７として示す第七実施例は、長尺部材１ｃを平坦な帯状に形成し、その一端には貫通する受穴２ａとその受穴２ａに係止部２ｂを形成した受部２が一体的に備えられている。この長尺部材１ｃの他端は前記した受穴２ａ内に挿通しやすいように先端をやや幅狭としており、上面側には所定ピッチで断面が略半円状の滑り止め用突起９、９‥が一体に形成されている。また、この長尺部材１ｃの下面側には受部２の近傍から先端近くまで連続してラチェット１０が形成され、このラチェット１０が前記係止部２ｂに係合して抜け止めされるものとなっている。即ち、この第七実施例におけるアタッチ部材は線材等を結束し、締結する結束バンドとされるものである。
【００２０】
次いで、図８〜図１０によって、係るアタッチ部材の製造方法について説明する。まず、図８、図９は第一の方法による製造を示しているもので、まず、断面略円形をしたエラストマー製の長尺部材１を成形した後、その長尺部材１を金型を用いて挿し込み部３の前方からインサートし、その長尺部材１を更に押すことで、その先端を所定距離を離れた位置にある受部２の前方からインサートする。この長尺部材１は受部２の頂部内まで押されてカットされるが、この停止位置は十分な挿入がなされていればよい。
【００２１】
また、長尺部材１が受部２から抜けてしまうことを防止するには、前記したストッパ４を長尺部材１の一部に設け、このストッパ４が挿し込み部３の頭部３ａの頂面に当接した時、長尺部材１をカットする。続いてこのストッパ４を先端として再度インサート作業を行なうことでストッパ４は受部２の前方内に圧入されて抜け止めが図られる。尚、図中１１はガイドゲートを示している。
【００２２】
そして、図１０として示すのは第二の方法としての２色成形方法であり、第一の金型によって成形された受部２と挿し込み部３を別の位置へ移動させ、その受部２と挿し込み部３間にエラストマー製の長尺部材１をセットし、その接触部分を融着させる。この融着には加熱を用いるが、受部２や挿し込み部３の長尺部材１との接触面を粗面としておくことで、その融着しての融合状態の面積が大きくなって強固な結合が得られる。
【図面の簡単な説明】
【００２３】
【図１】本発明に係るアタッチ部材の第一実施例を示す図である。
【図２】第二実施例を示す図である。
【図３】第三実施例を示す図である。
【図４】第四実施例を示す図である。
【図５】第五実施例を示す図である。
【図６】第六実施例を示す図である。
【図７】第七実施例を示す図である。
【図８】第一の製造方法を示す図である。
【図９】その変形例を示す図である。
【図１０】第二の製造方法を示す図である。
【符号の説明】
【００２４】
１    長尺部材
１ａ  長尺部材
１ｂ  リブ
１ｃ  長尺部材
２    受部
２ａ  受穴
２ｂ  係止部
３    挿し込み部
３ａ  頭部
３ｂ  係合部
４    ストッパ
５    ランナー部材
５ａ  接続部
６    フック部
７    クリップ部
７ａ  係合突起
７ｂ  受部
８    補強部
９    滑り止め用突起
１０  ラチェット
１１  ガイドゲート
【図１】
2008285219.tif 000003
【図２】
2008285219.tif 000004
【図３】
2008285219.tif 000005
【図４】
2008285219.tif 000006
【図５】
2008285219.tif 000007
【図６】
2008285219.tif 000008
【図７】
2008285219.tif 000009
【図８】
2008285219.tif 000010
【図９】
2008285219.tif 000011
【図１０】
2008285219.tif 000012